(57)【要約】      （修正有）【課題】製造工程を簡略化させて生産性を向上させ得る光ピックアップ装置及びその製造方法を提供する。【解決手段】レーザビームを発射する半導体レーザと、半導体レーザから発射されたレーザビームを光ディスク上に集光する対物レンズと、半導体レーザ及び対物レンズ間におけるレーザビームの光路上に配置され、半導体レーザから発射されたレーザビームを平行光に変換するカップリングレンズと、カップリングレンズを所定状態に固定保持するピックアップケースのカップリングレンズ搭載部とを備える光ピックアップ装置について、カップリングレンズの各レンズ面及び当該カップリングレンズの周側面における所定部位に反射防止膜を形成し、当該カップリングレンズを、周側面における反射防止膜が形成された所定部位を接着剤によりピックアップケースのカップリングレンズ搭載部に接着するようにしてピックアップケースのカップリングレンズ搭載部に固定する。【選択図】図４
2012069177.tif 000002
【特許請求の範囲】
【請求項１】
レーザビームを発射する半導体レーザと、
前記半導体レーザから発射された前記レーザビームを前記光ディスク上に集光する対物レンズと、
前記半導体レーザ及び前記対物レンズ間における前記レーザビームの光路上に配置され、前記半導体レーザから発射された前記レーザビームを平行光に変換するカップリングレンズと、
前記半導体レーザ、前記対物レンズ及び前記カップリングレンズが取り付けられたピックアップケースと
を備え、
前記カップリングレンズは、
各レンズ面及び当該カップリングレンズの周側面における所定部位に反射防止膜が形成され、前記周側面における前記反射防止膜が形成された前記所定部位を接着剤により前記ピックアップケースの所定位置に接着するようにして前記ピックアップケースのカップリングレンズ搭載部に固定された
ことを特徴とする光ピックアップ装置。
【請求項２】
レーザビームを発射する半導体レーザと、前記半導体レーザから発射された前記レーザビームを前記光ディスク上に集光する対物レンズと、前記半導体レーザ及び前記対物レンズ間における前記レーザビームの光路上に配置され、前記半導体レーザから発射された前記レーザビームを平行光に変換するカップリングレンズと、前記半導体レーザ、前記対物レンズ及び前記カップリングレンズが取り付けられたピックアップケースとを有する光ピックアップの製造方法において、
前記カップリングレンズの各レンズ面及び当該カップリングレンズの周側面における所定部位に反射防止膜を形成する第１の工程と、
前記カップリングレンズの周側面における前記反射防止膜が形成された前記所定部位を接着剤により前記ピックアップケースの所定位置に接着するようにして、前記カップリングレンズを前記ピックアップケースに固定する第２の工程と
を備えることを特徴とする光ピックアップの製造方法。
【発明の詳細な説明】
【技術分野】
【０００１】
本発明は光ピックアップ装置及びその製造方法に関し、例えばカップリングレンズがピックアップケースに接着剤により固定された光ピックアップに適用して好適なものである。
【背景技術】
【０００２】
従来、ＣＤ（Compact Disc）、ＤＶＤ（Digital Versatile Disc）及びブルーレイディスク（ＢＤ：Blu-ray Disc）等の様々な光ディスクが開発されている。これらの光ディスクに対するデータの記録及び再生は、光ディスク装置に搭載された光ピックアップを介して行われる。
【０００３】
光ピックアップには、対物レンズやカップリングレンズなどの光学レンズが実装される。カップリングレンズは、半導体レーザから発射されたレーザビームを平行光に変換するためのレンズであり、対物レンズは、光ディスクに記録及び再生を行う際に照射するレーザビームを、直接光ディスク上に集光するレンズである。
【０００４】
ところで、カップリングレンズは、通常、光ピックアップ内に配置されたピックアップケースの所定位置に、その周側面の複数個所を接着剤により接着するようにして固定配置される。
【０００５】
ところが、一般にカップリングレンズは、プラスチック材料を用いて形成されるが、レンズの特性を確保するため、プラスチック材料の中でも吸水性が低いものが選択される場合が多い。この場合において、吸水性が低いプラスチック材料は、接着剤となじみ難い場合があるため、例えば光ピックアップのピックに衝撃が加わった場合などに発生する振動等によりカップリングレンズがピックアップケースから剥離し易いという問題があった。
【０００６】
かかる問題を解決するため、従来では、カップリングレンズをピックアップケースのカップリングレンズ搭載部に固定する前に、カップリングレンズに対してＵＶ洗浄を施す方法が用いられている。この方法は、カップリングレンズをピックアップケースのカップリングレンズ搭載部に固定する前にＵＶ光をカップリングレンズに照射する方法であり、これによりカップリングレンズの素地であるプラスチックを接着剤と重合しやすいように活性化させることができる。
【発明の概要】
【発明が解決しようとする課題】
【０００７】
ところが、かかる方法によると、カップリングレンズにＵＶ洗浄を施す工程が必要となるため、光ピックアップ全体としての製造工程が煩雑化すると共に、光ピックアップの製造により多くの製造時間が必要となり、光ピックアップの生産性を向上させ難い問題があった。
【０００８】
本発明は以上の点を考慮してなされたもので、製造工程を簡略化させて生産性を向上させ得る光ピックアップ装置及びその製造方法を提案しようとするものである。
【課題を解決するための手段】
【０００９】
かかる課題を解決するため本発明においては、光ピックアップ装置において、レーザビームを発射する半導体レーザと、前記半導体レーザから発射された前記レーザビームを前記光ディスク上に集光する対物レンズと、前記半導体レーザ及び前記対物レンズ間における前記レーザビームの光路上に配置され、前記半導体レーザから発射された前記レーザビームを平行光に変換するカップリングレンズと、前記半導体レーザ、前記対物レンズ及び前記カップリングレンズが取り付けられたピックアップケースとを備え、前記カップリングレンズは、各レンズ面及び当該カップリングレンズの周側面における所定部位に反射防止膜が形成され、前記周側面における前記反射防止膜が形成された前記所定部位を接着剤により前記ピックアップケースの所定位置に接着するようにして前記ピックアップケースのカップリングレンズ搭載部に固定されたことを特徴とする。
【００１０】
また、本発明においては、レーザビームを発射する半導体レーザと、レーザビームを発射する半導体レーザと、前記半導体レーザから発射された前記レーザビームを前記光ディスク上に集光する対物レンズと、前記半導体レーザ及び前記対物レンズ間における前記レーザビームの光路上に配置され、前記半導体レーザから発射された前記レーザビームを平行光に変換するカップリングレンズと、前記半導体レーザ、前記対物レンズ及び前記カップリングレンズが取り付けられたピックアップケースとを有する光ピックアップの製造方法において、前記カップリングレンズの各レンズ面及び当該カップリングレンズの周側面における所定部位に反射防止膜を形成する第１の工程と、前記カップリングレンズの周側面における前記反射防止膜が形成された前記所定部位を接着剤により前記ピックアップケースの所定位置に接着するようにして、前記カップリングレンズを前記ピックアップケースに固定する第２の工程とを設けるようにしたことを特徴とする。
【発明の効果】
【００１１】
本発明によれば、光ピックアップ全体としての生産工程を簡略化することができ、光ピックアップの生産性を向上させることができる。
【図面の簡単な説明】
【００１２】
【図１】本実施の形態による光ピックアップの概略構成を示す平面図である。
【図２】図１の光ピックアップにおける光学系の概略構成を示す略線図である。
【図３】（Ａ）〜（Ｃ）は、それぞれ本実施の形態による光ピックアップにおけるカップリングレンズの固定構造の説明に供する側面図、斜視図及び平面図である。
【図４】（Ａ）及び（Ｂ）は、カップリングレンズにおける反射防止膜の形成状態を示す平面図及び側面図である。
【図５】本実施の形態によるトレイの概略構成を示す平面図である。
【図６】本実施の形態によるトレイの概略構成を示す斜視図である。
【図７】本実施の形態によるトレイ下蓋部凹部を示す斜視図である。
【発明を実施するための形態】
【００１３】
以下図面について、本発明の一実施の形態を詳述する。
【００１４】
図１及び図２において、１は全体として本実施の形態による光ピックアップを示す。この光ピックアップ１は、ピックアップケース２内の所定位置にそれぞれ配置されたレーザダイオード３、グレーティング４、偏光ビームスプリッタ５、カップリングレンズ６、立上げミラー７、アクチュエータ８、対物レンズ９、検出レンズ１０及び検出器１１などの光学部品を備えて構成される。
【００１５】
レーザダイオード３は、780nm（ＣＤ）、650nm（ＤＶＤ）又は405nm（ＢＤ）といった特定波長のレーザビームを発射する半導体レーザであり、図示しないレーザドライバにより、例えば記録動作時には記録対象のデータに応じて点滅駆動され、再生動作時には一定パワーで点灯駆動される。
【００１６】
レーザダイオード３から発射されたレーザビームＬ１は、グレーティング４において−１次、０次及び１次の回折光に分解された後、偏光ビームスプリッタ５を介してカップリングレンズ６に入射する。そしてレーザビームＬ１は、この後、カップリングレンズ６において平行光に変換された後、立上げミラー７を介してアクチュエータ８により保持された対物レンズ９に入射し、この対物レンズ９により光ディスク１２の記録層１２Ａ上に集光される。かくして記録動作時には、このように光ディスク１２の記録層１２Ａに集光されたレーザビームＬ１により当該記録層１２Ａに記録対象のデータが記録される。
【００１７】
また、かかるレーザビームＬ１の光ディスク１２の記録層１２Ａにおける反射光Ｌ２は、対物レンズ９及び立上げミラー７を介してカップリングレンズ６に入射し、当該カップリングレンズ６により収束光に変換された後に、偏光ビームスプリッタ５を介し、検出レンズ１０で検出器１１の受光面に集光される。かくして再生動作時には、このとき検出レンズ１０から出力される受光信号に基づいて、光ディスク１２に記録されているデータが再生される。
【００１８】
次に、光ピックアップ１におけるカップリングレンズ６の固定構造について説明する。本光ピックアップ１の場合、図１及び図３に示すように、カップリングレンズ６は、ピックアップケース２の所定位置に、偏光ビームスプリッタ５及び立上げミラー７間におけるレーザビームＬ１の光軸とその光軸とが一致するように固定されている。
【００１９】
実際上、ピックアップケース２におけるカップリングレンズ６の取付け位置には、図３（Ａ）に示すように、カップリングレンズ６のレンズ面６Ａ，６Ｂの直径とほぼ同じ横幅の矢印ｙ方向の幅、かつカップリングレンズ６全体の縦幅の矢印ｘ方向の幅とほぼ同じ奥行きを有するＵ字状の切欠き部２０Ａと、当該切欠き部２０Ａを囲むように形成されたＵ字状の凹部２０Ｂとを有するカップリングレンズ搭載部２０が設けられており、かかる凹部２０Ｂ内にカップリングレンズ６を嵌め込み得るようになされている。
【００２０】
また、カップリングレンズ搭載部２０の凹部２０ＢにおけるＵ字状の各端部には、凹部２０Ｂにおける他の部分よりも幅の広い幅広部２０Ｃが設けられており、かくして図３（Ｂ）及び（Ｃ）に示すように、凹部２０Ｂ内にカップリングレンズ６を嵌め込んだ後に、これら幅広部２０Ｃに接着剤２１を供給することによって、当該カップリングレンズ６をピックアップケース２の凹部２０Ｂ内に固定することができるようになされている。
【００２１】
一方、カップリングレンズ６には、図４に示すように、レーザビームＬ１（図２）又は反射光Ｌ２（図２）が入射する各レンズ面６Ａ，６Ｂ上及び周側面における上述の接着剤２１が供給される各部位６Ｃ上にそれぞれ反射防止膜２２が形成されている。
【００２２】
反射防止膜２２は、例えば二酸化ケイ素（SiO2）などの低屈折材料及び二酸化チタン（TiO2）などの高屈折材料を順次交互に蒸着した多層構成を有するＡＲ（Anti-Reflection）コート膜のことをいう。
【００２３】
このように本光ピックアップ１では、カップリングレンズ６の周側面における接着剤２１が供給される部位６Ｃに反射防止膜２２を形成することによって、その部位を活性化することができ、これによりピックアップケース２のカップリングレンズ搭載部２０に対するカップリングレンズ６の接着強度を増加させ得るようになされている。
【００２４】
図５及び図６は、このような反射防止膜２２をカップリングレンズ６に形成する際に利用されるトレイ３０の構成を示す。これら図５及び図６からも明らかなように、トレイ３０は、トレイ上蓋部３０Ａ及びトレイ下蓋部３０Ｂから構成される。
【００２５】
トレイ上蓋部３０Ａには、図７に示すように、トレイ下蓋部３０Ｂとの当接面にカップリングレンズ６の平面形状と同形状、かつカップリングレンズ６の厚みの半分の深さを有する凹部（以下、これを上蓋側凹部と呼ぶ）５０Ａが所定パターンで複数形成され、トレイ下蓋部３０Ｂには、トレイ上蓋部３０Ａの各上蓋側凹部５０Ａとそれぞれ対応させて、これら上蓋側凹部５０Ａとの対向位置に当該上蓋側凹部５０Ａと同形状の凹部（以下、これを下蓋側凹部と呼ぶ）５０Ｂが形成されている。
【００２６】
これによりトレイ３０においては、トレイ上蓋部３０Ａ及びトレイ下蓋部３０Ｂを嵌め合わせたときに、トレイ上蓋部３０Ａの各上蓋側凹部５０Ａとトレイ下蓋部３０Ｂの各下蓋側凹部５０Ｂとによってカップリングレンズ６と同形状の空間が複数形成され、これらの空間内にカップリングレンズ６をそれぞれ収納することができるようになされている。
【００２７】
またトレイ上蓋部３０Ａの各上蓋側凹部５０Ａ及びトレイ下蓋部３０Ｂの各下蓋側凹部５０Ｂには、それぞれ底面中央部に開口５１が設けられており、これによりかかる空間内にカップリングレンズ６が収納されている状態において、カップリングレンズ６の各レンズ面６Ａ，６Ｂの周囲の端部を除くほぼ全面を対応する上蓋側凹部５０Ａの開口５１Ａ又は下蓋側凹部５０Ｂの開口５１Ｂから露出させることができるようになされている。
【００２８】
かくして、トレイ上蓋部３０Ａの各上蓋側凹部５０Ａ内（又はトレイ下蓋部３０Ｂの各下蓋側凹部５０Ｂ内）にそれぞれカップリングレンズ６を嵌め込んだ後に、このトレイ上蓋部３０Ａ（又はトレイ下蓋部３０Ｂ）に他方のトレイ下蓋部３０Ｂ（又はトレイ上蓋部３０Ａ）を嵌め合わせることによりトレイ３０を形成し、この後、このトレイ３０を低屈折材料及び高屈折材料をそれぞれ蒸着炉に入れて、蒸着材料を蒸着することにより、かかる上蓋側凹部５０Ａの開口５１や下蓋側凹部５０Ｂの開口５１を介して露出する各カップリングレンズ６の一方のレンズ面上６Ａに反射防止膜２２を形成することができる。また、この後、トレイ３０をひっくり返して同様の作業を行うことにより、カップリングレンズ６の他方のレンズ面上６Ｂに同様の反射防止膜２２を形成することができる。
【００２９】
かかる構成に加えて、本実施の形態のトレイ３０の場合、トレイ上蓋部３０Ａの各上蓋側凹部５０Ａ及びトレイ下蓋部３０Ｂの各下蓋側凹部５０Ｂには、それぞれトレイ上蓋部３０Ａ及びトレイ下蓋部３０Ｂを重ね合わせたときに、カップリングレンズ６における上述の接着剤２１が供給される周側面上の各部位（以下、これを接着剤供給部位と呼ぶ）６Ｃにそれぞれ対応させて切欠き５２が設けられている。
【００３０】
この場合、これらの切欠き５２は、上蓋側凹部５０Ａ及び下蓋側凹部５０Ｂにより構成される空間内に収納されたカップリングレンズ６の周側面における接着剤供給部位６Ｃが当該切欠き５２を介して完全に露出するようにその深さが選定されている。かくして、カップリングレンズ６のレンズ面６Ａ，６Ｂに反射防止膜２２を形成する際に、これと併せて切欠き５２を介して露出するカップリングレンズ６の各接着剤供給部位上６Ｃにも蒸着材料が蒸着され、これによりこれら接着剤供給部位上６Ｃにレンズ面６Ａ，６Ｂと同様の反射防止膜２２を形成することができるようになされている。
【００３１】
以上のように本実施の形態による光ピックアップ１では、カップリングレンズ６の各レンズ面６Ａ，６Ｂに反射防止膜２２を形成する際にこれと併せて当該カップリングレンズ６の周側面における各接着剤供給部位上６Ｃに反射防止膜２２を形成するようにしているため、かかる例えば従来のようにカップリングレンズ６にＵＶ洗浄を施す工程を省略することができる。かくするにつき、光ピックアップ全体としての生産工程を簡略化することができ、光ピックアップの生産性を向上させることができる。
【００３２】
なお上述の実施の形態においては、カップリングレンズ６の周側面における接着剤供給部位６Ｃに、例えば二酸化ケイ素（SiO2）などの低屈折材料及び二酸化チタン（TiO2）などの高屈折材料を順次交互に蒸着するようにして反射防止膜２２を形成するようにした場合について述べたが、本発明はこれに限らず、要は、カップリングレンズ６の各レンズ面６Ａ，６Ｂに反射防止膜２２を形成する際に、これと併せて当該カップリングレンズ６の周側面における接着剤供給部位６Ｃに反射防止膜２２を形成するのであれば、反射防止膜２２の構成としてはこの他種々の構成を広く適用することができる。
【００３３】
さらに上述の実施の形態においては、本発明を、ピックアップケース２に対するカップリングレンズ６の取付け構造に適用する場合について述べたが、本発明はこれに限らず、例えば対物レンズ９のアクチュエータ８をピックアップケース２に取り付ける際の取付け場合や、ピックアップケース２に他の光学部品を取り付ける際の取付け構造としても適用することができる。
【符号の説明】
【００３４】
１……光ピックアップ、２……ピックアップケース、３……半導体レーザ、６……カップリングレンズ、９……対物レンズ、１２……光ディスク、２０……カップリングレンズ搭載部、２０Ａ……切欠き部、２０Ｂ……凹部、２０Ｃ……幅広部、２１……接着剤、２２……反射防止膜、３０……トレイ、３０Ａ……トレイ上蓋部、３０Ｂ……トレイ下蓋部、５０Ａ……上蓋側凹部、５０Ｂ……下蓋側凹部。
【図１】
2012069177.tif 000003
【図２】
2012069177.tif 000004
【図３】
2012069177.tif 000005
【図４】
2012069177.tif 000006
【図５】
2012069177.tif 000007
【図６】
2012069177.tif 000008
【図７】
2012069177.tif 000009